(57)【要約】【課題】  転造による端部のダレに影響を受けず、ダレ除去加工が不要な高精度で低コストなボールねじのねじ軸およびその製造方法を提供する。【解決手段】  螺旋状の凸条３ａ、３ｂが形成されたロールダイス２ａ、２ｂ間に素材丸棒１を挿入し、この転造部１ａの外周面に螺旋状に連続するねじ溝を通し転造するボールねじのねじ軸の製造方法において、ロールダイス２ａ、２ｂの表面に、凸条３ａ、３ｂの外径とこれより小径の螺旋状平坦部８ａ、８ｂの外径が所定の長さ範囲で一定に形成された平行部４ａ、４ｂと、この平行部４ａ、４ｂの両側に傾斜角θ１、θ２を有する食い付き部５ａ、５ｂと逃げ部６ａ、６ｂを形成すると共に、素材丸棒１の端部に予め小径段部１ｂを形成し、この小径段部１ｂの外径をロールダイス２ａ、２ｂが最も接近した時の凸条３ａ、３ｂ間の距離よりも小径に設定した。【選択図】図１
2005074509.tif 000002
【特許請求の範囲】
【請求項１】
螺旋状の凸条が形成された一対のロールダイス間に素材丸棒を挿入し、この素材丸棒における転造部の外周面に螺旋状に連続するねじ溝を通し転造により形成したボールねじのねじ軸において、
前記素材丸棒の端部に小径部を形成し、この小径部の外径を、前記ねじ溝の溝底径よりも小径に設定したことを特徴とするボールねじのねじ軸。
【請求項２】
前記小径部を円筒状の小径段部とした請求項１に記載のボールねじのねじ軸。
【請求項３】
前記小径部を面取り部とした請求項１に記載のボールねじのねじ軸。
【請求項４】
螺旋状の凸条が形成された一対のロールダイス間に素材丸棒を挿入し、この素材丸棒における転造部の外周面に螺旋状に連続するねじ溝を通し転造するボールねじのねじ軸の製造方法において、前記ロールダイスの表面に、前記凸条の外径およびこれより小径の螺旋状平坦部の外径が所定の長さ範囲に亙って一定の外径に形成された平行部と、この平行部の両側に所定の傾斜角になるよう構成された食い付き部および逃げ部を有すると共に、前記素材丸棒の端部に予め小径部を形成し、この小径部の外径を、前記一対のロールダイスが最も接近した時の前記凸条間の距離よりも小径に設定したことを特徴とするボールねじのねじ軸の製造方法。
【請求項５】
前記素材丸棒の端部に部品取付部を形成し、この部品取付部と前記転造部間に前記小径部を設けた請求項４に記載のボールねじのねじ軸の製造方法。
【発明の詳細な説明】
【技術分野】
【０００１】
本発明は、自動車用アクチュエータの送り軸等に用いられるボールねじのねじ軸およびその製造方法に関するものである。
【背景技術】
【０００２】
ボールねじのねじ軸を転造により製造する方法が一般的に採用されている。中でも、一対のロールダイスを用いた通し転造による方法は、ねじ溝加工が一工程で済むため研削加工品よりも安価で量産性に優れ、研削加工品に代わって幅広い分野での適用が期待されている。この通し転造は、所望の間隔で配置されて回転する一対のロールダイス間にねじ軸の素材となる素材丸棒を挿入し、ロールダイスの表面に螺旋状に連続して形成された凸部によって、素材丸棒の外周面にねじ溝を形成する方法である。
【０００３】
通し転造方法でボールねじのねじ軸を製造する場合、ロールダイス間に素材丸棒を挿入すると、素材丸棒の端からねじ溝が形成されるが、この時、転造によって形成されるねじ溝が深くなるほど、ロールダイスによって塑性変形する量が増えるため、ロールダイスと素材丸棒との間に生じる転がり抵抗（加工抵抗）が増大する。
【０００４】
このように、塑性変形量が増えて加工抵抗が大きくなると、加工開始時に急激な負荷変動が転造装置に生じると共に、加工開始端部に生じる加工抵抗に対抗して素材丸棒を保持する力が、ロールダイスと素材丸棒間の摩擦力で充分に得られなくなり、ねじ溝の精度や真円度が劣化する。
【０００５】
こうした問題点を解決したものとして、図８乃至図１０に示すようなボールねじのねじ軸の製造方法が知られている。この製造方法は、図８に示す素材丸棒５１の加工開始端部５２は、対向する一対のロールダイス５３ａ、５３ｂの間に、これらダイスの定径部５４ａ、５４ｂ全体と重なるように配置されている。ロールダイス５３ａ、５３ｂの表面には、それぞれ螺旋状の凸部５５ａ、５５ｂが形成されており、定径部５４ａ、５４ｂに位置する凸部５５ａ、５５ｂの先端が素材丸棒５１の外周面に接触している。
【０００６】
この状態から図９に示すように、ロールダイス５３ａ、５３ｂをそれぞれ素材丸棒５１の中心軸Ｓに向かって矢印Ｐ、Ｑの方向に押圧しつつ、各ロールダイス５３ａ、５３ｂを矢印Ｕ、Ｖの方向に回転させて転造を開始する。これにより、素材丸棒５１は、ロールダイス５３ａ、５３ｂの間で相対的に矢印Ｗの方向に回転しながら中心軸Ｓに沿って矢印Ｔの方向に移動する。そして、図１０に示すように、螺旋状のねじ溝５６が素材丸棒５１の外周面５１ａに連続して形成される。
【０００７】
また、ねじ溝５６に沿う両側５６ａ、５６ｂの部分は、ねじ溝５６が形成されることによって、凹んだ分だけ隆起すると共に、ロールダイス５３ａ、５３ｂの螺旋状の平坦部５７ａ、５７ｂによって外径が均一に整えられる。そして、加工開始時にロールダイス５３ａ、５３ｂを押し当てつつ転造を開始したことによって加工開始端部５２に形成された不完全ねじ部は、加工開始端部５２から加工終端部の末端まで転造を行った後で取り除く。
【０００８】
このように転造されたボールねじのねじ軸は、素材丸棒５１の加工開始端部５２がロールダイス５３ａ、５３ｂの定径部５４ａ、５４ｂの全体と重なるように配置して転造を開始するので、それぞれの複数箇所の凸部５５ａ、５５ｂが素材丸棒５１に接触する。したがって、素材丸棒５１に対してそれぞれの凸部５５ａ、５５ｂから均等な力が加わるので、素材丸棒５１が偏心することがない。
【０００９】
また、ロールダイス５３ａ、５３ｂと素材丸棒５１との加工抵抗が徐々に変化し、転造装置に急激な負荷変動が生じないので、素材丸棒５１がロールダイス５３ａ、５３ｂの定径部５４ａ、５４ｂに位置する凸部５５ａ、５５ｂでしっかりと保持され、ねじ溝５６の精度や真円度が劣化することはない。
【特許文献１】特開２００３−３３８４１号公報
【発明の開示】
【発明が解決しようとする課題】
【００１０】
こうした従来のボールねじのねじ軸の製造方法では、長い素材丸棒５１を転造後に切断して軸端加工を施し、１本の素材丸棒５１から複数のねじ軸を効率良く製造することができるが、製品によっては完成軸長が短尺物であればあるほど、熱処理後のリード変化の影響を受け難いため、予め完成品の全長あるいは熱処理後の変化量を見込んだ全長で、単品の素材丸棒を転造する方が大量生産には有利な場合がある。
【００１１】
しかし、この従来の通し転造方法で前記短尺物を単品で通し転造した場合、素材丸棒５１の転造開始時と、ロールダイス５３ａ、５３ｂから素材丸棒５１が抜ける転造終了時において、図１１に示すように、素材丸棒５１の端面から塑性変形した肉がせり出す、所謂ダレ５８が発生する。特に、軸端加工部が軸受等の部品取付部５９となる場合、転造後に端面に発生したダレ５８を除去するために機械加工が必要であった。さらに、この丸みを帯びていたダレ５８が、端面の後加工によって除去された場合、同部に鋭利なエッジが発生してしまい、品質上・安全上から端部の面取り加工も必要となり、端面のダレ５８の除去加工と共に加工工数が増えてコスト高騰の要因となっていた。
【００１２】
本発明は、こうした従来の問題を解決し、転造により発生する端部のダレに影響を受けず、ダレ除去加工が不要な高精度で低コストなボールねじのねじ軸およびその製造方法を提供することを目的とする。
【課題を解決するための手段】
【００１３】
係る目的を達成すべく、本発明のうち請求項１に記載の発明は、螺旋状の凸条が形成された一対のロールダイス間に素材丸棒を挿入し、この素材丸棒における転造部の外周面に螺旋状に連続するねじ溝を通し転造により形成したボールねじのねじ軸において、前記素材丸棒の端部に小径部を形成し、この小径部の外径を、前記ねじ溝の溝底径よりも小径に設定した。
【００１４】
このように、素材丸棒の端部に小径部を形成し、この小径部の外径を、ねじ溝の溝底径よりも小径に設定することにより、ロールダイスの凸条は、小径部に接触することはなく、転造によってねじ溝の端面に盛り上がるダレが端面まで膨出することはない。したがって、ねじ軸の端面はこのダレに影響を受けずダレの除去加工が不要となる。特に、素材丸棒の端部に部品取付部を有するねじ軸においては、端面が後加工によって除去されても、丸みを帯びているこのダレが除去され同部に鋭利なエッジが発生するようなことはなく、ダレの除去加工等が不要となって低コストなボールねじのねじ軸を提供することができる。
【００１５】
また、前記小径部が、請求項２に記載の発明のように、円筒状の小径段部であっても良いし、請求項３に記載の発明のように、面取り部であっても良い。
【００１６】
また、本発明のうち請求項４に記載の方法発明は、螺旋状の凸条が形成された一対のロールダイス間に素材丸棒を挿入し、この素材丸棒における転造部の外周面に螺旋状に連続するねじ溝を通し転造するボールねじのねじ軸の製造方法において、前記ロールダイスの表面に、前記凸条の外径およびこれより小径の螺旋状平坦部の外径が所定の長さ範囲に亙って一定の外径に形成された平行部と、この平行部の両側に所定の傾斜角になるよう構成された食い付き部および逃げ部を有すると共に、前記素材丸棒の端部に予め小径部を形成し、この小径部の外径を、前記一対のロールダイスが最も接近した時の前記凸条間の距離よりも小径に設定した。
【００１７】
これにより、転造されたボールねじのねじ軸は、素材丸棒の小径端部がロールダイスの食い付き角を介して配置され、かつ転造部がロールダイスの平行部の複数の凸条と接触して転造を開始するので、素材丸棒に対して凸条から均等な力が作用し、素材丸棒が偏心することなく転造することができる。
【００１８】
また、転造装置に急激な荷重変動を与えず、素材丸棒がロールダイスの平行部に位置する複数の凸条でしっかりと保持されるので、ねじ溝の精度や真円度が劣化するのを防止することができる。さらに、ロールダイスの凸条は小径部に接触することはなく、転造によってねじ溝の端面に盛り上がるダレが端面まで膨出することはない。したがって、ダレの除去加工が不要となり、高精度で低コストなボールねじのねじ軸を提供することができる。
【００１９】
また、請求項５に記載の発明は、前記素材丸棒の端部に部品取付部を形成し、この部品取付部と前記転造部間に前記小径部を設けたので、部品取付部の端面が後加工によって除去されても、丸みを帯びているダレが除去され同部に鋭利なエッジが発生するようなことはなく、ダレの除去加工等が不要となって加工工数を低減することができる。
【発明の効果】
【００２０】
本発明に係るボールねじのねじ軸は、螺旋状の凸条が形成された一対のロールダイス間に素材丸棒を挿入し、この素材丸棒における転造部の外周面に螺旋状に連続するねじ溝を通し転造により形成したボールねじのねじ軸において、前記素材丸棒の端部に小径部を形成し、この小径部の外径を、前記ねじ溝の溝底径よりも小径に設定したので、ロールダイスの凸条は、小径部に接触することはなく、転造によってねじ溝の端面に盛り上がるダレが端面まで膨出することはない。したがって、ねじ軸の端面はこのダレに影響を受けずダレの除去加工が不要となる。特に、素材丸棒の端部に部品取付部を有するねじ軸においては、端面が後加工によって除去されても、丸みを帯びているこのダレが除去され同部に鋭利なエッジが発生するようなことはなく、ダレの除去加工等が不要となって低コストなボールねじのねじ軸を提供することができる。
【００２１】
また、本発明に係るボールねじのねじ軸の製造方法にあっては、螺旋状の凸条が形成された一対のロールダイス間に素材丸棒を挿入し、この素材丸棒における転造部の外周面に螺旋状に連続するねじ溝を通し転造するボールねじのねじ軸の製造方法において、前記ロールダイスの表面に、前記凸条の外径およびこれより小径の螺旋状平坦部の外径が所定の長さ範囲に亙って一定の外径に形成された平行部と、この平行部の両側に所定の傾斜角になるよう構成された食い付き部および逃げ部を有すると共に、前記素材丸棒の端部に予め小径部を形成し、この小径部の外径を、前記一対のロールダイスが最も接近した時の前記凸条間の距離よりも小径に設定したので、転造されたボールねじのねじ軸は、素材丸棒の小径端部がロールダイスの食い付き角を介して配置し、かつ転造部がロールダイスの平行部の複数の凸条と接触して転造を開始するので、素材丸棒に対して凸条から均等な力が作用し、素材丸棒が偏心することなく転造することができる。
【００２２】
また、転造装置に急激な荷重変動を与えず、素材丸棒がロールダイスの平行部に位置する複数の凸条でしっかりと保持されるので、ねじ溝の精度や真円度が劣化するのを防止することができる。さらに、ロールダイスの凸条は、小径部に接触することはなく、転造によってねじ溝の端面に盛り上がるダレが端面まで膨出することはない。したがって、ダレの除去加工が不要となり、高精度で低コストなボールねじのねじ軸を提供することができる。
【発明を実施するための最良の形態】
【００２３】
螺旋状の凸条が形成された一対のロールダイス間に素材丸棒を挿入し、この素材丸棒における転造部の外周面に螺旋状に連続するねじ溝を通し転造するボールねじのねじ軸の製造方法において、前記ロールダイスの表面に、前記凸条の外径およびこれより小径の螺旋状平坦部の外径が所定の長さ範囲に亙って一定の外径に形成された平行部と、この平行部の両側に所定の傾斜角になるよう構成された食い付き部および逃げ部を有すると共に、前記素材丸棒の端部に部品取付部を形成し、この部品取付部と前記転造部間に円筒状の小径段部を設け、この小径段部の外径を、前記一対のロールダイスが最も接近した時の前記凸条間の距離よりも小径に、かつ前記部品取付部の外径よりも大径に設定した。
【実施例１】
【００２４】
以下、本発明の実施の形態について、図１乃至図４に基いて説明する。本発明に係るボールねじのねじ軸となる素材丸棒１は、図１に示すように、対向する一対のロールダイス２ａ、２ｂの間に配置される。ロールダイス２ａ、２ｂの表面には、それぞれ螺旋状の凸条３ａ、３ｂが形成されている。これらの凸条３ａ、３ｂの外径およびこれより小径の螺旋状平坦部の外径が所定の長さ範囲に亙って一定の外径にそれぞれ形成されている平行部４ａ、４ｂと、この平行部４ａ、４ｂの両側に食い付き部５ａ、５ｂおよび逃げ部６ａ、６ｂが形成されている。
【００２５】
食い付き部５ａ、５ｂおよび逃げ部６ａ、６ｂには、それぞれ所定の食い付き角θ１と逃げ角θ２が付与されている。これらの傾斜角θ１、θ２のうち、特に逃げ角θ２においては、角度が小さ過ぎると転造終了時にねじ溝に圧痕が発生し、また、大き過ぎるとねじ溝７の有効径のバラツキが大きくなることが知られている。本出願人の試験では、サイズ・リード数等によって若干異なるが、逃げ角θ２の範囲は、０°３０’以上２°未満が好ましいとされている。
【００２６】
一方、素材丸棒１の端部には、転造部１ａから小径段部１ｂを介して軸受等の部品が取り付く部品取付部１ｃが予め形成されている。この小径段部１ｂの外径Ｂは、図２に拡大して示すように、一対のロールダイス２ａ、２ｂが最も接近した時の凸条３ａ、３ｂ間の距離Ａよりも小径に、かつ部品取付部１ｃの外径Ｃよりも大径に設定されている（Ａ＞Ｂ＞Ｃ）。
【００２７】
この状態から図３に示すように、ロールダイス２ａ、２ｂをそれぞれ素材丸棒１の中心軸Ｓに向かって矢印Ｐ、Ｑの方向に押圧し、各ロールダイス２ａ、２ｂを矢印Ｕ、Ｖの方向に回転させて転造を開始する。これにより、素材丸棒１は、ロールダイス２ａ、２ｂの間で相対的に矢印Ｗの方向に回転しねじ溝７が形成される。この時、ロールダイス２ａ、２ｂに僅かな送り角を設けているので、素材丸棒１は、中心軸Ｓに沿って矢印Ｔの方向に移動する。ここで、送り角とは、素材丸棒１の中心軸Ｓと一対のロールダイス２ａ、２ｂの回転軸との交差角を言う。そして、このねじ溝７は、一方のロールダイス２ａの凸条３ａから他方のロールダイス２ｂの凸条３ｂへ向かって転造部１ａの外周面に螺旋状に転写される。
【００２８】
図４に示すように、ロールダイス２ａ、２ｂによって素材丸棒１がさらに回転させられることで、素材丸棒１の転造部１ａの外周面には、螺旋状に延びる連続した螺旋状のねじ溝７が形成される。また、ねじ溝７に沿う両側７ａ、７ｂの部分は、ねじ溝７が形成されることによって、凹んだ分だけ素材が塑性流動して盛り上がるが、ロールダイス２ａ、２ｂの螺旋状の平坦部８ａ、８ｂによって外径が均一に形成される。
【００２９】
このように転造されたボールねじのねじ軸は、素材丸棒１の小径端部がロールダイス２ａ、２ｂの食い付き角θ１を介して配置され、かつ転造部１ａがロールダイス２ａ、２ｂの平行部４ａ、４ｂの複数の凸条３ａ、３ｂと接触して転造を開始するので、素材丸棒１に対して凸条３ａ、３ｂから均等な力が作用し、素材丸棒１が偏心することなく転造することができる。
【００３０】
また、転造装置に急激な荷重変動を与えず、素材丸棒１がロールダイス２ａ、２ｂの平行部４ａ、４ｂに位置する複数の凸条３ａ、３ｂでしっかりと保持されるので、ねじ溝７の精度や真円度が劣化するのを防止することができる。
【００３１】
さらに、本実施形態では、素材丸棒１の小径端部、すなわち、転造部１ａと部品取付部１ｃ間に円筒状の小径段部１ｂが形成され、この小径段部１ｂの外径Ｂをロールダイス２ａ、２ｂが最も接近した時の凸条３ａ、３ｂ間の距離（ねじ溝７の溝底径）Ａよりも小径に、かつ部品取付部１ｃの外径Ｃよりも大径に設定されているので、図５、図６に示すように、ロールダイス２ａ（２ｂ）の凸条３ａ（３ｂ）は、小径段部１ｂに接触することはなく、ねじ溝７の端面に盛り上がるダレ９が部品取付部１ｃまで膨出することはない。したがって、部品取付部１ｃはこのダレ９に影響を受けずダレ９の除去加工が不要となり、高精度で低コストなボールねじのねじ軸を提供することができる。
【実施例２】
【００３２】
図７は、本発明に係る素材丸棒の他の実施形態を示す。この実施形態は、前述した実施形態と端部形状のみが異なるだけで、その他同一の部位には同じ符号を付してその詳細な説明を省略する。
【００３３】
素材丸棒１０の端部には、転造部１ａから面取り部１ｄを介して軸受等の部品が取り付く部品取付部１ｃが予め形成されている。この面取り部１ｄは、一対のロールダイス２ａ、２ｂが最も接近した時でも凸条３ａ、３ｂが干渉しないように、３０°〜６０°の範囲の角面に形成されている。
【００３４】
これにより、この面取り部１ｄは、素材丸棒１０が図示しないロールダイス間に進入する時のガイド部となり、転造部１ａがロールダイスの凸条とスムーズに接触して転造を開始するので、素材丸棒１０が偏心することなく転造することができる。また、ロールダイスの凸条が面取り部１ｄに接触して塑性加工されることはなく、ねじ溝の端面に盛り上がるダレが部品取付部１ｃまで膨出することはない。したがって、前述した実施形態と同様、部品取付部１ｃはこのダレに影響を受けず、ダレの除去加工が不要となる。
【００３５】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３６】
本発明に係るボールねじのねじ軸は、端部に軸受等の部品取付部を有するねじ軸に限らず、短尺物のように予め完成品の全長あるいは熱処理後の変化量を見込んだ全長で単品を通し転造するような場合にも適用することができる。
【図面の簡単な説明】
【００３７】
【図１】本発明に係るボールねじのねじ軸の製造方法における加工開始前の状態を示す説明図である。
【図２】同上、図１の要部拡大図である。
【図３】同上、図１の状態から素材丸棒が１／４回転させられた状態を示す説明図である。
【図４】同上、さらに、図２の状態から転造が進んだ状態を示す説明図である。
【図５】素材丸棒の端部がロールダイスに接触した状態を示す要部説明図である。
【図６】図５の要部拡大図である。
【図７】本発明に係るボールねじのねじ軸の他の実施形態を示す要部拡大図である。
【図８】従来のボールねじのねじ軸の製造方法における加工開始前の状態を示す説明図である。
【図９】図８の状態から素材丸棒が１／４回転させられた状態を示す説明図である。
【図１０】図９の状態からさらに転造が進んだ状態を示す説明図である。
【図１１】軸端加工部に部品取付部を有する従来の素材丸棒の転造状態を示す要部説明図である。
【符号の説明】
【００３８】
１、１０・・・・・・・・・素材丸棒
１ａ・・・・・・・・・・・転造部
１ｂ・・・・・・・・・・・小径段部
２ａ、２ｂ・・・・・・・・ロールダイス
３ａ、３ｂ・・・・・・・・凸条
４ａ、４ｂ・・・・・・・・平行部
５ａ、５ｂ・・・・・・・・食い付き部
６ａ、６ｂ・・・・・・・・逃げ部
７・・・・・・・・・・・・ねじ溝
７ａ、７ｂ・・・・・・・・ねじ溝の両側
８ａ、８ｂ・・・・・・・・平坦部
９・・・・・・・・・・・・ダレ
５１・・・・・・・・・・・素材丸棒
５２・・・・・・・・・・・加工開始端部
５３ａ、５３ｂ・・・・・・ロールダイス
５４ａ、５４ｂ・・・・・・定径部
５５ａ、５５ｂ・・・・・・凸部
５６・・・・・・・・・・・ねじ溝
５６ａ、５６ｂ・・・・・・ねじ溝の両側
５７ａ、５７ｂ・・・・・・平坦部
５８・・・・・・・・・・・ダレ
５９・・・・・・・・・・・部品取付部
Ａ・・・・・・・・・・・・凸間の距離
Ｂ・・・・・・・・・・・・小径段部の外径
Ｃ・・・・・・・・・・・・部品取付部の外径
Ｓ・・・・・・・・・・・・中心軸
θ１・・・・・・・・・・・食い付き角
θ２・・・・・・・・・・・逃げ角
【図１】
2005074509.tif 000003
【図２】
2005074509.tif 000004
【図３】
2005074509.tif 000005
【図４】
2005074509.tif 000006
【図５】
2005074509.tif 000007
【図６】
2005074509.tif 000008
【図７】
2005074509.tif 000009
【図８】
2005074509.tif 000010
【図９】
2005074509.tif 000011
【図１０】
2005074509.tif 000012
【図１１】
2005074509.tif 000013